(57)【要約】【課題】チェーンがスネークチェーンのようにその外周に凹凸が無いようなチェーンでは従来の構成の長さ調整具ではグリップ力が弱く調整した位置がずれてしまうと言う技術的な課題がある。【解決手段】前記課題は、両端にリング２ａ，２ｂをそれぞれ取り付けたチェーン１と、前記チェーン１が挿通可能な孔３１ａ，３１ｂを設けた中空の球体３１と前記球体３１内にあって前記孔２ａ，２ｂを通して前記球体３１内を貫通するチェーンに螺着した弾性体３２と、前記球体３１に連結リング５ａを介して取り付けた引き輪３３とからなる長さ調整具３と、前記チェーン１の一方の端に取り付けたリング２ａに取付け前記引き輪３３と連結する孔あきプレート４とからなり、前記長さ調整具３がチェーン１に添っての摺動を前記チェーン１と前記球体３１内に収容した前記弾性物３２との摩擦によって制約するように構成することで解決できる。【選択図】  図１
0003105306.tif 000002
【実用新案登録請求の範囲】
【請求項１】
両端にリング２ａ，２ｂをそれぞれ取り付けたチェーン１と、前記チェーン１が挿通可能な孔３１ａ，３１ｂを設けた中空の球体３１と前記球体３１内にあって前記孔３１ａ，３１ｂを通して前記球体３１内を貫通するチェーン１に螺着した弾性体３２と、前記球体３１に連結リング５ａを介して取り付けた引き輪３３とからなる長さ調整具３と、前記チェーン１の一方の端に取り付けたリング２ａに取付け、前記引き輪３３と連結する孔あきプレート４とからなり、前記長さ調整具３がチェーン１に添っての摺動を前記チェーン１と前記球体３１内に収容した前記弾性物３２との摩擦によって制約するようにしたことを特徴とする長さ調整を可能にした装身具。
【請求項２】
請求項１記載の弾性体３２が複数巻きの螺旋状であることを特徴とする長さ調整を可能にした装身具。
【請求項３】
請求項１または２記載の螺旋状の弾性体３２が耐摩耗性を有する合成樹脂製であることを特徴とする長さ調整を可能にした装身具。
【請求項４】
請求項１記載の球体３１がシームレス状の球体であることを特徴とする長さ調整を可能にした装身具。
【請求項５】
請求項１記載のチェーン１が表面の凹凸が小さいスネークチェーンであることを特徴とする長さ調整を可能にした装身具。
【考案の詳細な説明】
【技術分野】
【０００１】
この考案は、着付け時長さの調節を可能にした装身具に関し、さらに詳しくは服装や体型の相違に応じてチェーンの環状長を容易に調整可能な装身具、特にネックレスとして好適な装身具に関する。
【背景技術】
【０００２】
ネックレス等の装身具は、通常購買率の高い購入層の標準体型を基準に、例えばネックレスであればチェーンの長さ４０ｃｍを基準にして、２ｃｍづつ長短異なる長さ、・・３８ｃｍ、４０ｃｍ、４２ｃｍ・・の長さの装身具が製作され販売されている。
【０００３】
しかし、装身具は日々着用する服装の変化に応じてその長さを調整する必要があり、装身具の長さが一定であっては、日々着用する服装の変化に対応させることが出来ないと言う問題が生じた。
また、装身具は一般に高価な物であり、一生涯使用される場合もあるため、この間に装着者が痩せたり、太ったりと言う体型に変化が生じた場合、装身具の長さが体型に合わなくなってしまい、装着できなくなってしまうと言った問題が生じた。
【０００４】
このため、第７図および第８図に示すように、長尺のチェーン５１の一端に孔あきプレート５２を、多端に調節用のリング５３を介して短尺のチェーンに５４の一端を連接し、このチェーン５４の他端に引き輪５５を取り付けた構成の装身具５０がある。
【０００５】
この装身具は、図８に示すように、チェーン５１の端部に取り付けた孔あきプレート５２の孔５２ａに、引輪５５の引きピン５５ａを引いて引き軸５５ｂを後退させて開閉部分５５ｃを開いて挿入し、引きピン５５ａを戻すことにより引き軸５５ｂが戻り、チェーン５１とチェーン５４を直列に繋いだ長さの装身具５０の装着が可能になる。
【０００６】
装身具５０の長さを短くするためには、図９に示すように、チェーン５１の一方のリング５３と孔あきプレート５２の孔５２ａに引き輪５５の引きピン５５ａを引いて引き軸５５ｂを後退させて開口部５５ｃを開いて挿入し、引きピン５５ａを戻すことにより引き軸５５ｂが戻り、チェーン５１だけの長さの装身具５０の装着が可能になる。
しかし、前記した装身具は、２種類の長さの選択は出来ても服装や体型の変化に応じてチェーンの長さを自由に調節出来ないと言う問題がある。
【０００７】
このような問題を解決するために、特許文献１に記載されているように、一端に孔あきプレートを取付け、他端に止め輪を取り付けたボールチェーンと、前記ボールチェーンを挿通するスプリングに連結環を溶着してなる長さ調節具と、前記長さ調節具の前記連結環を介して取り付ける引き輪とで構成し、前記長さ調節具は、その内径を前記ボールチェーンのボール径よりも短く設定することにより前記ボールチェーン上に固定し、一定以上の力を加えることにより前記ボールチェーン上を摺動させることでチェーンの長さを調節可能にした装身具が開示されている。
【０００８】
また、特許文献２に記載されているように、一端に穴あきプレートを取付け、他端に止め輪を取り付けたボールチェーンと、前記ボールチェーンを挿通する割りピンを有し、前記割りピンを挿通する球体に連結環を溶着した長さ調節具５、前記長さ調節具の連結環を介して取付けられる引き輪とで構成し、前記長さ調節具は、割りピンの内径を前記ボールチェーンのボール径よりも小さく設定することにより前記ボールチェーンと割りピンとの摩擦によって固定されるように形成したチェーンの長さを調節可能にした装身具が開示されている。
【特許文献１】実用新案登録第３０６５８５３号公報
【特許文献２】実用新案登録第３０７０５７４号公報
【考案の開示】
【考案が解決しようとする課題】
【０００９】
しかしながら、前記した従来の長さ調節を可能にした装身具を用いた場合、チェーンがボールチェーンであればチェーンの外周が球面状の凹凸を呈しているので長さ調整具がスプリングや割りピンでもチェーンに対する弾着力が生じ、被着時に調整した位置がずれると言うことは無いが、チェーンがスネークチェーンのようにその外周に凹凸が無いようなチェーンでは前記構成の長さ調整具ではグリップ力が強く働かず調整した位置がずれてしまうと言う技術的な課題がある。
【００１０】
そこで、この考案は、スネークチェーンのような外周に凹凸が少ないチェーンにおいても服装や体型の変化に応じて、自由に長さ調節を可能にすると共に調整位置が被着時移動しない装身具を提供することを目的とする。
【課題を解決するための手段】
【００１１】
前記の課題は、両端にリング２ａ，２ｂをそれぞれ取り付けたチェーン１と、前記チェーン１が挿通可能な孔３１ａ，３１ｂを設けた中空の球体３１と前記球体３１内にあって前記孔２ａ，２ｂを通して前記球体３１内を貫通するチェーンに螺着した弾性体３２と、前記球体３１に連結リング５ａを介して取り付けた引き輪３３とからなる長さ調整具３と、前記チェーン１の一方の端に取り付けたリング２ａに取付け、前記引き輪３３と連結する孔あきプレート４とからなり、前記長さ調整具３がチェーン１に添っての摺動を前記チェーン１と前記球体３１内に収容した前記弾性物３２との摩擦によって制約するように構成することで解決することができる。
【考案の効果】
【００１２】
請求項１記載の長さ調節を可能とした装身具は、両端にリング２ａ，２ｂをそれぞれ取り付けたチェーン１と、前記チェーン１が挿通可能な孔３１ａ，３１ｂを設けた中空の球体３１と前記球体３１内にあって前記孔２ａ，２ｂを通して前記球体３１内を貫通するチェーン１に螺着した弾性体３２と、前記球体３１に連結リング５ａを介して取り付けた引き輪３３とからなる長さ調整具３と、前記チェーン１の一方の端に取り付けたリング２ａに取付け前記引き輪３３と連結する孔あきプレート４とからなり、前記長さ調整具３がチェーン１に添っての摺動を前記チェーン１と前記球体３１内に収容した前記弾性物３２との摩擦によって制約するように構成したので、一定以上の力を加えると前記スネークチェーン上を摺動するため、服装や体型の変化に合わせて、装身具の長さを自由に調節することが可能となる。
【００１３】
請求項２記載の長さ調節を可能とした装身具は、長さ調整具としての主たる構成体である弾性体がスプリング状であるため外面に凹凸の少ないスネークチェーンにあってもグリップ力が大きく作用し、調整位置が被着時移動しない。
【００１４】
請求項３記載の長さ調節を可能とした装身具は、スプリング状の弾性体が耐摩耗性を有する合成樹脂製であるために長さ調整具を摺動させても高価なチェーンに傷を付けることが無い。
【００１５】
請求項４記載の長さ調節を可能とした装身具は、長さ調整具としての主たる構成体である弾性体を球体内に収容したので、装飾効果を向上させることができる。
【００１６】
請求項５記載の長さ調節を可能とした装身具は、チェーンが表面の凹凸が小さいスネークチェーンなので、その優美さから装飾効果を向上させることができる。
【考案を実施するための最良の形態】
【００１７】
この考案の長さ調節を可能にした装身具の最良の形態としては、両端にリング２ａ，２ｂをそれぞれ取り付けたチェーン１と、前記チェーン１が挿通可能な孔３１ａ，３１ｂを設けた中空の球体３１と前記球体３１内にあって前記孔２ａ，２ｂを通して前記球体３１内を貫通するチェーンに螺着した弾性体３２と、前記球体３１に連結リング５ａを介して取り付けた引き輪３３とからなる長さ調整具３と、前記チェーン１の一方の端に取り付けたリング２ａに取付け前記引き輪３３と連結する孔あきプレート４とからなり、前記長さ調整具３がチェーン１に添っての摺動を前記チェーン１と前記球体３１内に収容した前記弾性物３２との摩擦によって制約するように構成することである。
【実施例】
【００１８】
この考案の長さ調節を可能にした装身具は、図1〜７に示すように、所定の長さのスネークチェーン１と、前記チェーン１の両端に取り付けるリング２ａ,２ｂと、長さ調整具３と、孔あきプレート４と連結リング５ａ，５ｂとで構成する。
これらは貴金属またはこれを含む合金で作られるかあるいは他の金属で作った場合には装身具に相応しい貴金属でメッキを施す。
チェーン１にはその一端に予めリング２ａを蝋付け等の手段で取り付け、このリング２ａに連結リング５ａを介して孔あきプレート４を予め取り付けておく。
【００１９】
長さ調整具３は図５〜７に示すように、球体３１、弾性体３２および引き輪３３とで構成する。球体３１は図５に示すように絞り加工により一方の孔３１ａ側には前記チェーン１を挿通可能な大きさにかつ球面に加工し、その対向側は楕円状の半加工状態で、弾性体３２を螺着したチェーン１が挿通可能な開口を有する中空体で、前記開口の中心線と直行する外側に取付けリング３１ｃを蝋付け等の手段で予め取り付けておく。
【００２０】
引き輪３３は図６および７に示すように良く知られた構成のもので、３３ａは引きピン、３３ｂは引き軸、３３ｃはジョイントリングである。
弾性体３２は、図７に示すように耐磨耗性で弾力性の大きい形状記憶樹脂としてポリエステル、ポリウレタン、スチレン・ブタジエン、ポリノルボルネン、トランスポリイソプレン、ポリエチレンテレフタレート等の合成樹脂材料で作られた前記球体３１内径寸法の１／３程度の直径の棒状体を３山程螺旋状に加工したものである。
【００２１】
組立にあたっては、前述した一端にリング２ａを取り付けたチェーン１の他端を球体３１の孔３１ａから球体内を通して前記開口から外に引き出し、前記他端から一寸離れた位置に弾性体３２を螺着したあと、球体３２に金型をあてがって開口が孔３１ｂと同じ大きさに狭まると共に球面化するように絞り加工する。
【００２２】
他の方法として挿通しようとするチェーン１の直径と弾性体３２を引き伸ばした時の直径を合わせた大きさの孔３１ａ，３１ｂを有する球体３１を作り、前記孔３１ａからチェーン１を取り付けてない端部に弾性体３２を螺着してからこれを引き伸ばした状態で球体３１内に挿入して他方の孔３１ｂからチェーン１のみを引き出せば弾性体３２はその形状記憶機能によって密着巻き状の螺旋形状に球体内で復元する。
【００２３】
この後、チェーン１の他端にリング２ｂを蝋付け等の手段で取り付ける。
球体３１のリング３１ｃと引き輪３３のリング３３ｃとを結合リング５ｂを介して結合する。
【００２４】
このように加工することで、図６ならびに７に示すように、長さ調整具３は前記チェーン１に前記球体３１内で螺着した弾性体３２が前記球体３１をチェーン１に添っての移動させる際チェーン1と弾性体３２との間で生じる摩擦によって摺動を制約するように作用し、一定以上の力を加えることで前記スネークチェーン1に沿って前記長さ調整具３は摺動しうる。
【００２５】
次に、この考案にかかる長さ調節を可能とした装身具を用いて長さ調節を行う場合について説明する。
スネークチェーン１の全長よりもその長さの１／６程度短い長さでチェーン１を環状にするには、長さ調整具３をスネークチェーン１に沿って一定以上の力を加えて、リング２ｂ側からあるいは現位置から図１に示すように前記リング２ｂ側からチェーン長の１／６だけリング２ａ側に摺動させる。
【００２６】
この摺動にあたり球体内の弾性体３２は球体３１内で摺動方向とは反対側の球体内面に若干押しやられるようになるが材料の弾性と螺旋状と言う構造からチェーンに大きい無理をかけずに位置の変更が出来る。
位置調整後の長さ調節具３は、弾性体３２の構造的握り締め力と摩擦力によってその位置に固定する。
【００２７】
位置調整が終わると、図２に示すようにチェーン１の端部に取り付けた孔あきプレート４の孔４ａに、引輪３３の引きピン３３ａを引いて引き軸３３ｂを後退させて開閉部分３３ｄを開いて挿入し、引きピン３３ａを戻すことにより引き軸３３ｂが戻り、チェーン１はその５／６の長さの環状になる。
以下同様の手法でチェーンの環状長を加減することができる。
【産業上の利用可能性】
【００２８】
この考案は、チェーンの環状長の調整に利用可能である。
【図面の簡単な説明】
【００２９】
【図１】この考案の長さ調整後でチェーンを環状にする前の一部を裁断した状態の装身具の正面図。
【図２】長さ調整後チェーンを環状にした前の一部を裁断した状態の装身具の正面図。
【図３】図1の長さ調節具の一部を構成する球体の組立前の斜視図。
【図４】図１の長さ調節具の正面図。
【図５】図１の長さ調節具の一部を構成する弾性体の正面図。
【図６】図１の長さ調節具とチェーンとの関係を示す一部を断面にした正面図。
【図７】図１の長さ調節具とチェーンとの関係を示す一部を断面にした側面図。
【図８】従来の長さ調整を可能にした装身具の長尺状態の斜視図。
【図９】従来の長さ調整を可能にした装身具の短尺状態の斜視図。
【符号の説明】
【００３０】
１：チェーン
２A,２ｂ：リング
３：長さ調整具
３１：球体
３１ａ,３１ｂ：孔
３１ｃ：リング
３２：弾性体
３３引き輪
４：孔あきプレート
５ａ，５ｂ：結合リング
【図１】
0003105306.tif 000003
【図２】
0003105306.tif 000004
【図３】
0003105306.tif 000005
【図４】
0003105306.tif 000006
【図５】
0003105306.tif 000007
【図６】
0003105306.tif 000008
【図７】
0003105306.tif 000009
【図８】
0003105306.tif 000010
【図９】
0003105306.tif 000011